(57)【要約】【課題】施工性に優れた太陽光発電装置を提供する。【解決手段】太陽光発電装置は、第１フレームを含む第１太陽電池モジュールと、第２フレームを含む第２太陽電池モジュールと、軸部が立設する状態でボルトを保持し、ボルトを挟むように第１フレームと第２フレームが載置される架台とを備える。また、太陽光発電装置は、第１フレームと第２フレームに跨って取り付けられ、ボルトを用いて架台に固定される押え金具を備える。押え金具は、架台との間に第２フレームの第２外鍔を挿し込み可能な隙間をあけてボルトに固定され、第２外鍔が当該隙間に挿し込まれた状態で、第２外鍔を覆い、第２フレームの側面に当接する基部と、第１フレームの第１外鍔を押える押圧部とを含む。基部および押圧部には、第１フレーム又は第２フレームにそれぞれ食い込む突起が形成されている。【選択図】図３
2020139329.tif 000002
【特許請求の範囲】
【請求項１】
第１外鍔が形成された第１フレームを含む第１太陽電池モジュールと、
第２外鍔が形成された第２フレームを含み、前記第１太陽電池モジュールと隣り合って配置された第２太陽電池モジュールと、
軸部が立設する状態でボルトを保持し、前記ボルトを挟むように前記第１フレームと前記第２フレームが載置される架台と、
前記第１フレームと前記第２フレームに跨って取り付けられ、前記ボルトを用いて前記架台に固定される押え金具と、
を備え、
前記押え金具は、
前記架台との間に前記第２フレームの前記第２外鍔を挿し込み可能な隙間をあけて前記ボルトに固定され、前記第２外鍔が前記隙間に挿し込まれた状態で、前記第２外鍔を覆い、前記第２フレームの側面に当接する基部と、
前記基部の端部から延出し、前記第１フレームの前記第１外鍔を押える押圧部と、
を含み、前記基部および前記押圧部には、前記第１フレーム又は前記第２フレームにそれぞれ食い込む突起が形成されている、太陽光発電装置。
【請求項２】
前記押え金具は、前記基部から延出して前記架台に当接する脚部を含む、請求項１に記載の太陽光発電装置。
【請求項３】
前記脚部は、前記第１フレーム側よりも前記第２フレーム側で長くなるように形成されている、請求項２に記載の太陽光発電装置。
【請求項４】
前記第１フレームと前記第２フレームの間で前記架台上に配置されて前記押え金具を支持する支持金具をさらに備える、請求項１に記載の太陽光発電装置。
【請求項５】
前記架台は、屋根の軒棟方向に沿って形成された、前記ボルトの頭部をスライド可能に保持するガイドレール部を含む、請求項１〜４のいずれか１項に記載の太陽光発電装置。
【発明の詳細な説明】
【技術分野】
【０００１】
本開示は、太陽光発電装置に関する。
【背景技術】
【０００２】
太陽光発電装置は、一般的に、複数の太陽電池モジュールと、太陽電池モジュールが載せられる架台と、太陽電池モジュールを架台に固定するための金具とを備える。例えば、特許文献１，２に開示された太陽光発電装置では、太陽電池モジュールのフレームに形成された外鍔を利用してモジュールが架台に固定されている。この場合、架台に立設したボルトを挟むように架台上に２つの太陽電池モジュールが配置され、２つの外鍔に跨って略Ｕ字状の押え金具が取り付けられる。押え金具は、ボルトに固定され、２つの外鍔を上から押えている。
【先行技術文献】
【特許文献】
【０００３】
【特許文献１】特開２０１５−０６３８２５号公報
【特許文献２】特開２０１５−０７８４８４号公報
【発明の概要】
【発明が解決しようとする課題】
【０００４】
ところで、太陽光発電装置には、屋根等の設置対象に対して太陽電池モジュールをしっかり固定でき、且つ施工性に優れることが求められている。特許文献１，２に開示された太陽光発電装置では、モジュール越しに押え金具を取り付ける必要がある等、無理な体勢での施工作業を余儀なくされる場合があり、施工性について改良の余地がある。
【課題を解決するための手段】
【０００５】
本開示の一態様である太陽光発電装置は、第１外鍔が形成された第１フレームを含む第１太陽電池モジュールと、第２外鍔が形成された第２フレームを含み、前記第１太陽電池モジュールと隣り合って配置された第２太陽電池モジュールと、軸部が立設する状態でボルトを保持し、前記ボルトを挟むように前記第１フレームと前記第２フレームが載置される架台と、前記第１フレームと前記第２フレームに跨って取り付けられ、前記ボルトを用いて前記架台に固定される押え金具とを備える。前記押え金具は、前記架台との間に前記第２フレームの前記第２外鍔を挿し込み可能な隙間をあけて前記ボルトに固定され、前記第２外鍔が前記隙間に挿し込まれた状態で、前記第２外鍔を覆い、前記第２フレームの側面に当接する基部と、前記基部の端部から延出し、前記第１フレームの前記第１外鍔を押える押圧部とを含み、前記基部および前記押圧部には、前記第１フレーム又は前記第２フレームにそれぞれ食い込む突起が形成されている。
【発明の効果】
【０００６】
本開示の一態様である太陽光発電装置によれば、屋根等の設置対象に対する太陽電池モジュールの取り付けが容易で優れた施工性が得られる。また、太陽電池モジュールを設置対象にしっかり固定することができる。さらに、メンテナンス対象の太陽電池モジュールのみを取り外すことが可能であるため、周辺の太陽電池モジュールを取り外す必要がなく、メンテナンス性にも優れる。
【図面の簡単な説明】
【０００７】
【図１】実施形態の一例である太陽光発電装置の分解斜視図である。
【図２】実施形態の一例である太陽電池モジュールの断面図である。
【図３】実施形態の一例である太陽光発電装置の断面図である。
【図４】実施形態の一例である押え金具の斜視図である。
【図５】実施形態の一例である太陽光発電装置の施工方法を説明するための図である。
【図６】実施形態の他の一例である太陽光発電装置の断面図である。
【図７】図６に示す太陽光発電装置を構成する押え金具の斜視図である。
【図８】実施形態の他の一例である太陽光発電装置の断面図である。
【図９】図８に示す太陽光発電装置を構成する押え金具および支持金具の斜視図である。
【発明を実施するための形態】
【０００８】
以下、図面を参照しながら、本開示に係る太陽光発電装置の実施形態について詳細に説明する。以下で説明する実施形態は例示であって、本開示の太陽光発電装置は以下で説明する実施形態に限定されない。
【０００９】
本実施形態では、太陽光発電装置が屋根に設置されるものとする。図面に示す矢印αは屋根の軒棟方向を、矢印βは屋根の桁方向を、矢印γは屋根面（屋根材の表面）に対して垂直な方向を示す。また、説明の便宜上、押え金具等において、軒棟方向に沿った方向を縦方向、桁方向に沿った方向を横方向、屋根面に対して垂直な方向を上下方向という場合がある。
【００１０】
図１は、実施形態の一例である太陽光発電装置１０の分解斜視図である。図１に例示するように、太陽光発電装置１０は、複数の太陽電池モジュール１１を備え、屋根材１０１が敷設された屋根１００に取り付けられている。太陽光発電装置１０は、太陽電池モジュール１１Ａ（第１太陽電池モジュール）と、太陽電池モジュール１１Ａと隣り合って配置された太陽電池モジュール１１Ｂ（第２太陽電池モジュール）と、架台３０とを備える。また、太陽光発電装置１０は、太陽電池モジュール１１Ａ，１１Ｂを架台３０に固定するための押え金具４０（図３等参照）を備える。
【００１１】
太陽電池モジュール１１Ａは、外鍔２３Ａ（第１外鍔）が形成されたフレーム１３Ａ（第１フレーム）を有する。同様に、太陽電池モジュール１１Ｂは、外鍔２３Ｂ（第２外鍔）が形成されたフレーム１３Ｂ（第２フレーム）を有する。架台３０は、軸部が立設した状態でボルト２５を保持する。架台３０には、ボルト２５を挟むようにフレーム１３Ａ，１３Ｂが載置される。詳しくは後述するが、押え金具４０は、フレーム１３Ａ，１３Ｂに跨って取り付けられ、ボルト２５を用いて架台３０に固定される。
【００１２】
太陽電池モジュール１１Ｂは、太陽電池モジュール１１Ａとの間に押え金具４０等を設置する隙間をあけて太陽電池モジュール１１Ａと隣り合って配置されている。本実施形態では、説明の便宜上、隣り合って配置される任意の２枚の太陽電池モジュール１１について、屋根１００の軒側に配置されるモジュールを太陽電池モジュール１１Ａ、棟側に配置されるモジュールを太陽電池モジュール１１Ｂとする。
【００１３】
太陽電池モジュール１１は、太陽電池パネル１２を有する。フレーム１３は、太陽電池パネル１２の端縁に設置される。太陽電池パネル１２は、複数の太陽電池セルのストリングが２枚の基材で挟持された平坦なパネルであって、例えば平面視矩形状を呈する。フレーム１３は、一般的にアルミニウムを主成分とする金属材料を押出成形して形成され、太陽電池パネル１２の四方を囲んで設置される。本実施形態では、太陽電池モジュール１１の短辺方向が軒棟方向と略平行となるように、複数の太陽電池モジュール１１が配置されている。
【００１４】
太陽電池モジュール１１は、例えば、軒側端部の２箇所と棟側端部の２箇所の合計４箇所で架台３０に固定される。架台３０は、屋根１００に複数配置される。１枚の太陽電池モジュール１１の裏側には、当該モジュールの軒側端部の左右（桁方向両側）に対応する位置と、棟側端部の左右に対応する位置に架台３０がそれぞれ配置される。太陽電池モジュール１１Ａ，１１Ｂの境界部に配置される架台３０には、上述の通りフレーム１３Ａ，１３Ｂが載置される。
【００１５】
架台３０は、屋根材１０１の上に配置され、屋根１００の野地板１０２に固定される。架台３０は、その長手方向が屋根１００の軒棟方向に沿うように、幅方向が桁方向に沿うように配置される。図１に例示するように、２枚の屋根材１０１に跨って架台３０を固定する場合、屋根材１０１間に形成された段差部分にスペーサ１０４を設けることが好ましい。スペーサ１０４は、当該段差を埋めて架台３０の安定した取り付けを可能とする。架台３０を屋根材１０１の上に直接配置することで、屋根材１０１の表面である屋根面からの太陽電池モジュール１１の高さを低くすることができ、屋根１００と太陽光発電装置１０の一体感が向上する。
【００１６】
架台３０は、屋根１００の軒棟方向に沿って形成された、ボルト２５の頭部をスライド可能に保持するガイドレール部３１を有する。換言すると、架台３０はガイドレール部３１の長手方向が軒棟方向に沿うように屋根１００に取り付けられる。図１に示す例では、複数の架台３０が軒棟方向および桁方向に並んで配置されている。軒棟方向に並ぶ各架台３０は、各太陽電池モジュール１１の軒棟方向に沿った長さに合わせて、軒棟方向に一定の間隔をあけて配置される。フレーム１３Ａ，１３Ｂは、各々の長手方向がガイドレール部３１と略直交するように架台３０上に載せられる。
【００１７】
図２は、太陽電池モジュール１１の端部の断面図である。図２に例示するように、太陽電池パネル１２の端縁に設置されるフレーム１３は、上面部、下面部、および側面部を含む中空の角柱形状を有する本体２０と、本体２０の上面に立設した鉤部２１と、モジュールの内側に向かって開口した内溝２２とを有する。鉤部２１は、本体２０の外側から上方に真っ直ぐ延び、途中で内側に折れ曲がって断面略Ｌ字状に形成される。内溝２２は、太陽電池パネル１２の端縁が挿し込まれる部分であって、本体２０の上面と鉤部２１との間に形成される。
【００１８】
フレーム１３は、モジュールの外側に張り出した外鍔２３を有する。外鍔２３は、本体２０の下面と平行に本体２０の下端から外側に向かって延出し、途中で上方に折れ曲がって断面略Ｌ字状に形成されている。外鍔２３は、押え金具４０を用いてフレーム１３を架台３０に固定する際に使用される部分であって、太陽電池パネル１２の長辺に沿って取り付けられるフレームのみに形成されていればよい。
【００１９】
フレーム１３の表面には、一般的に、フレーム１３の腐食を防止するための被膜が形成されている。被膜は、例えば酸化アルミニウム等の絶縁被膜である。また、本実施形態では、架台３０がアルミニウム、ステンレス鋼などを主成分とする金属材料で構成され、その表面には絶縁被膜が形成されている。
【００２０】
以下、図３および図４をさらに参照しながら、太陽電池モジュール１１の取り付け構造について詳説する。図３は、太陽電池モジュール１１Ａ，１１Ｂの境界部を軒棟方向に切断した断面図である。図４は、実施形態の一例である押え金具４０の斜視図である。
【００２１】
図３に例示するように、太陽電池モジュール１１Ａ，１１Ｂは、架台３０および押え金具４０を用いて屋根１００に固定される。架台３０は、ネジ１０５によって屋根１００の野地板１０２に固定される。図３に示す例では、架台３０の棟側部分が屋根材１０１の上に、軒側部分がスペーサ１０４の上にそれぞれ固定されている。ネジ１０５には、ゴム製パッキン付きの木ネジを使用できる。架台３０と屋根材１０１およびスペーサ１０４との間には、ゴム製シート１０３（例えば、ブチルゴムシート）が設けられる。
【００２２】
押え金具４０は、太陽電池モジュール１１Ａ，１１Ｂのフレーム１３Ａ，１３Ｂに係合すると共に、架台３０に保持されたボルト２５を利用して架台３０に固定される。ボルト２５は、フレーム１３Ａ，１３Ｂが載せられる架台３０の上面に対して軸部が立設するように、架台３０のガイドレール部３１に頭部が挿入されている。ボルト２５の軸部は、先端が太陽電池モジュール１１Ａ，１１Ｂの間から上方に突き出さない程度の長さであることが好ましい。
【００２３】
ガイドレール部３１は、ボルト２５の頭部が上方に引き抜けない状態で、且つ軒棟方向にスライド可能な状態でボルト２５を保持する。ガイドレール部３１は、架台３０の軒棟方向の全長にわたって形成されることが好ましい。この場合、架台３０の軒棟方向におけるボルト２５の位置の自由度が高くなるので、良好な施工性が得られる。
【００２４】
図３および図４に例示するように、押え金具４０は、架台３０との間にフレーム１３Ｂの外鍔２３Ｂを挿し込み可能な隙間をあけてボルト２５に固定される基部４１と、基部４１の端部から延出し、フレーム１３Ａの外鍔２３Ａを押える押圧部４２とを有する。押圧部４２は、基部４１に対して垂直に形成され、基部４１の軒側端部から下方に延出している。換言すると、押圧部４２が押え金具４０の軒側端部に位置して下方に延びるように、太陽電池モジュール１１Ａ，１１Ｂの境界部に押え金具４０が配置される。押え金具４０は、断面視略Ｌ字形状を有する。
【００２５】
押え金具４０は、ボルト２５を通すための挿通孔４３を有し、ボルト２５に締結されるナット２６によって上から押圧される。挿通孔４３は基部４１に形成され、ナット２６は基部４１の上面から突き出したボルト２５の軸部に締結される。挿通孔４３は、軒棟方向に長い長孔であることが好ましい。この場合、押え金具４０の配置の調整が容易になる。フレーム１３Ａの外鍔２３Ａに当接する押圧部４２は、ナット２６の締結力によって外鍔２３Ａを上から押え付ける。
【００２６】
基部４１は、フレーム１３Ｂの外鍔２３Ｂが基部４１と架台３０の上面の間に形成された隙間に挿し込まれた状態で、外鍔２３Ｂの一部を覆い、フレーム１３Ｂの側面（本体１３Ｂの側面）に当接する。基部４１が外鍔２３Ｂの上方に配置されることで、フレーム１３Ｂが持ち上がって外れることを防止できる。屋根１００の桁方向に沿った基部４１および押圧部４２の横方向長さは特に限定されず、架台３０の幅より短くてもよく、或いは長くてもよい。
【００２７】
基部４１の軒棟方向に沿った縦方向長さは、太陽電池モジュール１１Ａ，１１Ｂ同士の間隔の大きさに影響するため、当該間隔を小さくするためにはナット２６等の取り付けに支障がない範囲で短いことが好ましい。基部４１は、少なくとも外鍔２３Ａ，２３Ｂの軒棟方向に沿った長さ、およびボルト２５の軸部の直径を足した長さを超える縦方向長さを有する。
【００２８】
押圧部４２は、架台３０の上面に接触する外鍔２３Ａの底部から上方に延びる部分（以下、「壁部」という場合がある）よりも長く形成され、ナット２６が締め付けられたときに外鍔２３Ａを押圧して架台３０に押え付ける。押圧部４２は、例えばボルト２５の軸部の長さより短く、且つ外鍔２３Ａの壁部と干渉しない長さを有する。押え金具４０、ボルト２５、およびナット２６は、太陽電池モジュール１１Ａ，１１Ｂの間隙内に配置されることが好ましい。
【００２９】
基部４１および押圧部４２には、フレーム１３Ｂ，１３Ａにそれぞれ食い込む突起４４，４５が形成されている。突起４４はフレーム１３Ｂの側面に当接する基部４１の先端に形成され、突起４５はフレーム１３Ａの外鍔２３Ａに当接する押圧部４２の先端（下端）に形成される。上述の通り、フレーム１３Ａ，１３Ｂの表面には絶縁性の被膜が形成されているが、突起４４，４５を設けることで、押え金具４０が当該被膜を突き破ってフレーム１３Ｂ，１３Ａと導通を取ることができる。そして、押え金具４０およびボルト２５等を介して太陽電池モジュール１１Ａ，１１Ｂのアースを取ることができる。また、突起４４，４５によって、押え金具４０はフレーム１３Ａ，１３Ｂと強く係合し、太陽電池モジュール１１Ａ，１１Ｂの横ずれが防止される。
【００３０】
基部４１の先端部は、架台３０との間にフレーム１３Ｂの外鍔２３Ｂを挿し込むことに支障がない範囲で、押圧部４２が延びる方向、即ち架台３０の方向に向かって曲がっていることが好ましい。この場合、フレーム１３Ｂに対して押え金具４０が係合し易くなり、太陽電池モジュール１１Ｂをより安定に固定できる。基部４１の先端部は、架台３０の方向に向かって湾曲していてもよく、屈曲していてもよい。
【００３１】
本実施形態では、架台３０の表面にも絶縁性の被膜が形成されているため、当該被膜を突き破る歯付きワッシャをボルト２５に取り付けてもよい。例えば、押え金具４０の下に架台３０の上面に接触するように歯付きワッシャを配置し、ボルト２５にナットを締結して当該ワッシャを架台３０に押し付けてもよい。歯付きワッシャが架台３０の被膜を突き破ることで、ボルト２５と架台３０の導通を取ることができる。なお、歯付きワッシャは、架台３０のガイドレール部３１内においてボルト２５に取り付けることも可能である。
【００３２】
図４に例示する形態では、フレーム１３Ｂに当接する基部４１の棟側端部（先端）に複数の突起４４が形成されている。また、フレーム１３Ａに当接する押圧部４２の下端に、複数の突起４５が形成されている。図４に示す例では、基部４１の先端に３つの突起４４が、押圧部４２の下端に５つの突起４５が、それぞれ等間隔で形成されているが、各突起の数等は特に限定されない。基部４１の棟側端部および押圧部４２の下端部は、凹凸が繰り返された波形に形成されていてもよく、複数の凸部の先端が突起４４，４５となっていてもよい。複数の突起４５がフレーム１３Ａに、複数の突起４４がフレーム１３Ｂにそれぞれ食い込むことで、太陽電池モジュール１１Ａ，１１Ｂの横ずれをより確実に防止できる。
【００３３】
押え金具４０は、基部４１から延出して架台３０に当接する脚部４６を有する。脚部４６は、押圧部４２と同じ方向に延び、例えば押圧部４２が外鍔２３Ａに当接した状態で架台３０の上面に当接して、架台３０の上面と略平行に基部４１を支持可能な上下方向長さで形成される。脚部４６の上下方向長さは、押圧部４２の上下方向長さよりも長い。脚部４６は、ナット２６によって押圧される基部４１を安定に支持するため、ナット２６が締結されるボルト２５を挟むように２つ形成されることが好ましい。
【００３４】
図４に示す形態では、基部４１の横方向両端部に脚部４６が１つずつ形成されている。各脚部４６は、外鍔２３Ａ，２３Ｂと干渉しないように、基部４１がフレーム１３Ａ，１３Ｂの側面に当接した状態で外鍔２３Ａ，２３Ｂの間隙に収まる位置に、当該間隙に収まる寸法で形成される。また、各脚部４６は押え金具４０の縦方向に一定の長さで形成されている。即ち、架台３０の上面に当接する脚部４６の下端は基部４１と略平行である。この場合、基部４１を架台３０の上面に対して略平行な状態で支持できる。
【００３５】
上記構成を備えた太陽光発電装置１０によれば、屋根１００に対する太陽電池モジュール１１の取り付けが容易で優れた施工性が得られると共に、太陽電池モジュール１１を屋根１００にしっかり固定することができる。また、太陽電池モジュール１１の取り外しも容易であり、メンテナンス性にも優れる。
【００３６】
図５に例示するように、架台３０の上に太陽電池モジュール１１Ａを載置して押え金具４０を取り付けた後、基部４１と架台３０の上面との間に太陽電池モジュール１１Ｂの外鍔２３Ｂを軒側から挿し込むという簡便な操作によって太陽光発電装置１０を施工できる。具体的には、以下のような手順で太陽電池モジュール１１Ａ，１１Ｂが、屋根１００に設置された架台３０に固定される。
（１）架台３０の上に太陽電池モジュール１１Ａのフレーム１３Ａを載置する。
（２）ボルト２５の頭部を架台３０のガイドレール部３１に挿入してフレーム１３Ａの近傍までスライドさせ、ボルト２５の軸部を架台３０に立設させる。
（３）押え金具４０の挿通孔４３をボルト２５の軸部に通して、押圧部４２をフレーム１３Ａの外鍔２３Ａ上に配置する。
（４）ボルト２５にナット２６を締結して基部４１を上から押圧し、押圧部４２によって外鍔２３Ａを押え付ける。
（５）架台３０の棟側から太陽電池モジュール１１Ｂをスライドさせて、基部４１と架台３０の上面の間に形成された隙間にフレーム１３Ｂの外鍔２３Ｂを挿し込む。
【００３７】
以下、本開示に係る太陽光発電装置の他の実施形態について説明する。以下では、上述の実施形態との相違点を主に説明するものとし、上述の実施形態と共通する部分は同じ符号を用いて重複する説明を省略する。
【００３８】
図６は、実施形態の他の一例である太陽光発電装置１０Ｘの断面図である。図７は、太陽光発電装置１０Ｘを構成する押え金具４０Ｘの斜視図である。図６に例示する太陽光発電装置１０Ｘは、押え金具４０Ｘが基部４１、押圧部４２、および２つの脚部４６Ｘを備える点で、太陽光発電装置１０と共通する。一方、太陽光発電装置１０Ｘでは、脚部４６Ｘが、第１フレーム１３Ａ側よりも第２フレーム１３Ｂ側で長くなるように、即ち軒側よりも棟側で長くなるように形成されている点で、一定の長さの脚部４６を備えた太陽光発電装置１０と異なる。
【００３９】
図７に示すように、脚部４６Ｘの上下方向長さは、押圧部４２から離れるほど、即ち突起４４が形成された基部４１の先端に近づくほど、次第に長くなっている。脚部４６Ｘの上下方向長さは押え金具４０Ｘの縦方向に沿って一定ではなく、脚部４６Ｘの下端と基部４１が平行に形成されていない。なお、各脚部４６Ｘは外鍔２３Ａ，２３Ｂと干渉しないように形成される。
【００４０】
太陽光発電装置１０Ｘでは、脚部４６Ｘが架台３０の上面に当接した状態で、基部４１の棟側端部が軒側端部よりも上方に位置するように基部４１が傾斜する。この場合、ナット２６の締結力が押圧部４２に作用し易くなり、フレーム１３Ａの外鍔２３Ａがより強固に固定される。また、基部４１と架台３０の上面との隙間が大きくなるため、フレーム１３Ｂの外鍔２３Ｂの挿し込みが容易になる。図６に示す例では、ナット２６と基部４１の間にスプリングワッシャ４７が配置されている。
【００４１】
図８は、実施形態の他の一例である太陽光発電装置１０Ｙの断面図である。図９は、太陽光発電装置１０Ｙを構成する押え金具４０Ｙおよび支持金具５０の斜視図である。図８に例示する太陽光発電装置１０Ｙは、押え金具４０Ｙの下に配置された支持金具５０を備える点で、太陽光発電装置１０と異なる。支持金具５０は、フレーム１３Ａ，１３Ｂの間で架台３０上に配置されて押え金具４０Ｙを支持する金具である。図９に示すように、太陽光発電装置１０Ｙでは、押え金具４０Ｙが支持金具５０で支持されるため、押え金具４０Ｙには脚部が形成されていない。
【００４２】
支持金具５０は、架台３０の上面に配置される平坦な底部５１と、底部５１の端部に立設した壁部５２，５３とを有する。底部５１には、ボルト２５を通すための挿通孔５４が形成されている。壁部５２，５３は、上部が金具の外側に折り曲げられ、断面略Ｌ字状に形成されており、基部４１の下面に当接して押え金具４０Ｙを支持する。なお、押圧部４２は、押え金具４０Ｙが壁部５２，５３により支持された状態でフレーム１３Ａの外鍔２３Ａを押圧する。
【００４３】
底部５１は平面視略矩形状を有し、壁部５２，５３は底部５１の対向する２つの辺に沿って形成されている。支持金具５０は、外鍔２３Ａ，２３Ｂに干渉しない間隔で設けられる。即ち、底部５１の縦方向長さは外鍔２３Ａ，２３Ｂの間隔よりも短い。この場合、支持金具５０と外鍔２３Ａ，２３Ｂの間に隙間が形成され、押え金具４０Ｙがフレーム１３Ｂに当接しなくなる等の不具合を防止できる。支持金具５０は、図８および図９（ａ）に示すように、壁部５２，５３が軒棟方向に並ぶように配置されてもよく、図９（ｂ）に示すように、壁部５２，５３が桁方向に並ぶように配置されてもよい。図８に示す例では、壁部５２，５３が互いに同じ高さで形成されている。この場合、基部４１は架台３０の上面と略平行に支持される。
【００４４】
壁部５２，５３が軒棟方向に並ぶように配置される場合、支持金具５０の棟側端部に設けられる壁部５３の高さは、軒側端部に設けられる壁部５２の高さより高くてもよい。そのような支持金具５０を用いると、押え金具４０Ｙの基部４１の棟側端部が軒側端部よりも上方に位置するように基部４１が傾斜する。この場合、図６に例示する形態と同様に、ナット２６の締結力が押圧部４２に作用し易くなり、フレーム１３Ａの外鍔２３Ａがより強固に固定される。また、基部４１と架台３０の上面との隙間が大きくなるため、フレーム１３Ｂの外鍔２３Ｂの挿し込みが容易になる。さらに、太陽電池モジュール１３Ｂの取り外しも容易になり、メンテナンス性も向上する。
【００４５】
なお、上述の実施形態では、太陽電池モジュール１１の軒棟方向長さよりも短い短尺状の架台３０を用いたが、架台３０の代わりに長尺状の架台を用いてもよい。長尺状の架台は、例えば２枚分の太陽電池モジュール１１の軒棟方向長さよりも長く、屋根の軒棟方向に沿って配置される。また、架台３０の代わりに、上面部、側面部、および下面部を含み、ボルトのガイドレール部が存在しない断面略コの字状の架台を用いてもよい。
【符号の説明】
【００４６】
１０，１０Ｘ，１０Ｙ  太陽光発電装置、１１，１１Ａ，１１Ｂ  太陽電池モジュール、１２，１２Ａ，１２Ｂ  太陽電池パネル、１３，１３Ａ，１３Ｂ  フレーム、２０，２０Ａ，２０Ｂ  本体、２１  鉤部、２２  内溝、２３，２３Ａ，２３Ｂ  外鍔、２５  ボルト、２６  ナット、３０  架台、３１  ガイドレール部、４０，４０Ｘ，４０Ｙ  押え金具、４１  基部、４２  押圧部、４３，５４  挿通孔、４４，４５  突起、４６，４６Ｘ  脚部、４７  スプリングワッシャ、５０  支持金具、５１  底部、５２，５３  壁部、１００  屋根、１０１  屋根材、１０２  野地板、１０３  ゴム製シート、１０４  スペーサ、１０５  ネジ
【図１】
2020139329.tif 000003
【図２】
2020139329.tif 000004
【図３】
2020139329.tif 000005
【図４】
2020139329.tif 000006
【図５】
2020139329.tif 000007
【図６】
2020139329.tif 000008
【図７】
2020139329.tif 000009
【図８】
2020139329.tif 000010
【図９】
2020139329.tif 000011